(57)【特許請求の範囲】
【請求項１】
電池ボックスに装着される正極用と負極用の電池用接片において、
前記電池用接片は、
前記電池ボックスに保持される保持部と弾性変形可能な片持ち状の舌片とを有し、該保持部と該舌片を同一平面上に配置されてなる正極接片と、
前記正極接片の舌片を前記保持部に対して所定角度折り曲げてなる負極接片と、
からなることを特徴とする電池ボックスの電池用接片。
【発明の詳細な説明】
【０００１】
【産業上の利用分野】
本発明は、時計用ムーブメント等に設けられた電池ボックスに装着される電池用接片に関する。
【０００２】
【従来の技術】
一般的な、時計の駆動源となる時計用ムーブメントについて、図４乃至図８に基づいて説明する。時計用ムーブメント１０は、電池ボックス１５と、電池により駆動するモータ１６を取り付けた回路基板２０、モータの動力を図示しない指針軸に伝達する図示しない輪列により構成されている。電池ボックス１５の内部には、電池と回路基板２０を接続する導電性を有する接片が設けられている。この接片は、電池の正電極に接続される正極接片１１と、電池の負電極に接続される負極接片１２で構成され、回路基板２０に設けられた図示しない正極端子、負極端子にそれぞれ正極接片１１の一端部と負極接片１２の一端部を例えば半田１３，１３により固定している。
【０００３】
図６は電池ボックス１５内に正極接片１１が取り付けられた状態を示す図であり、図７は電池ボックス１５内に負極接片１２が取り付けられた状態を示す図である。
図６に示すように、正極接片１１は、１本のフォーミング線の先端部を丸みを帯びるように折り曲げて円弧部１１ａを形成し、その先端を上方へ突出するように突出部１１ｂが形成されている。図４に示すように、正極接片１１の他端部は、円弧部１１ａから突出するフォーミング線を垂直に折り曲げて取付部１１ｃが形成されている。この取付部１１ｃと回路基板２０とを、半田付けすることにより、正極接片１１を回路基板に固定している。
また、図７に示すように、負極接片１２は、１本のフォーミング線の先端部を電池ボックスの内方に向かって巻回することによりピラミッド形状の巻回部１２ａが形成されている。図４及び図７に示すように、負極接片１２の他端部は、巻回部１２ａから突出するフォーミング線を垂直に折り曲げて取付部１２ｂが形成されている。この取付部１２ｂと回路基板２０とを、半田付けすることにより、負極接片１２を回路基板２０に固定している。
【０００４】
なお、図６に示すように、電池ボックス１５には、ムーブメントケースと一体的に設けられた支持板１５ｄと、この支持板１５ｄの内方に形成された一対の支持突起１５ｃ，１５ｃがケースと一体的に形成され、この支持板１５ｄと支持突起１５ｃ，１５ｃとの隙間により形成される接片保持部の上方から、円弧部１１ａを挿入することにより、円弧部１１ａが支持板１５ｄと支持突起１５ｄ，１５ｄで支持され、ケースに固定することができる。
一対の支持板１５ｃ，１５ｃは、図６に示すように、所定の間隔Ｈだけ離間して設けられており、後述する電池の凸状の正極３０ａの幅より僅かに大きく設定されている。
【０００５】
また、図７に示すように、電池ボックス１５には、ムーブメントケースと一体的に設けられた支持板１５ｂと、この支持板１５ｂの内方に形成された一対の支持突起１５ａ，１５ａがケースと一体的に形成され、この支持板１５ｂと支持突起１５ａ，１５ａとの隙間により形成される接片保持部の上方から、巻回部１２ａを挿入することにより、ピラミッド形状の巻回部１２ａの底部を支持板１５ｂと支持突起１５ａ，１５ａで支持して、電池ボックス１５に固定している。
一対の支持板１５ａ，１５ａは、図７に示すように、所定の間隔だけ離間して設けられており、この離間部から、ピラミッド形状の負極接片１２の先端を電池ボックスの内方に突出して、負極接片１２を電池ボックス１５に固定している。
【０００６】
電池ボックス１５の内部に電池を挿入するときは、図８に示すように、まず電池３０の負極３０ｂを電池ボックスに挿入して負極接片１２に係合させた後、電池の正極３０ａを、図５に示す一対の支持板１５ｃ，１５ｃの離間部位に挿入することにより、負極接片の巻回部１２ａと電池の負極３０ｂが接触し、正極接片の突出部１１ｂと電池の正極３０ａが接触することができる。
【０００７】
なお、巻回部１２ａの先端から突出部１１ｂ迄の長さは、電池の長さより短く設定されているので、電池ボックス１５の内部に電池３０を挿入したときに、電池３０の負極３０ｂが巻回部１２ａに押圧されることにより、電池ボックスから電池が脱落することを防止しつつ、電池と接片との接触圧を一定に保持している。
【０００８】
【発明が解決しようとする課題】
従来の電池ボックスの接片構造によれば、図７及び図８に示すように、正極切片１１と負極接片１２は材料は同じフォーミング線であるも、折り曲げ方が全く異なり、形状も全く異なって形成されている。したがって、正極接片と負極接片を製造するとき各々正極接片用の製造治具と負極接片用の製造治具という２つの大がかりな治具が必要であった。
【０００９】
また、このような接片はビニール袋に例えば負極接片１２を２０００〜５０００個いれて、搬送並びに管理しているも、図６に示すように、負極接片１２はピラミッド形状に巻回させて構成されているので、負極接片１２の巻回部１２ａどうしが絡み合い、各々ビニール袋から負極接片１２をひとつずつ取り外す作業が困難であった。取り外すとき、強く引っ張ったりすると、巻回部１２ａが変形して、電池との接触圧を一定に保つことができないこともあった。
【００１０】
また、正極接片と負極接片とは折り曲げ方が全く異なり、形状も全く異なって形成されているので、両接片を共通部品化することができなかった。
【００１１】
そこで本発明はかかる従来の課題に鑑みてなされたものであり、その目的は、２種類の接片を製造するに際し、製造治具を簡略化するとともに、接片の変形を防止し、両接片を共通部品化することができる接片を提供することにある。
【００１２】
【課題を解決するための手段】
上記課題を解決するために、本発明の請求項１によれば、電池用接片は、電池ボックスに保持される保持部と弾性変形可能な片持ち状の舌片とを有し保持部と舌片を同一平面上に配置されてなる正極接片と、正極接片の舌片を保持部に対して所定角度折り曲げてなる負極接片と、からなる。
【００１３】
このように、接片にＵ字形状で弾性を有する舌片２ａを設け、正極接片２を製作する場合は、この舌片２ａを曲げないで保持部２ｄ，２ｄに対して上面視平板状になるようにしている。負極接片２’を製作する場合は、舌片２ａ’の自由端を保持部２’ｄ，２’ｄに対して内方へ突出するように曲げることにより電池との接触圧を保持することができる。
したがって、簡単な治具により、正極接片と負極接片との共通部品化が可能となる。また、負極接片の舌片はＵ字形状であり、ビニール袋にいれられた負極接片どうしが絡み合うことも極力防止できるので、接片の変形を防止することができる。
【００１４】
【発明の実施の形態】
以下に本発明の接片の構造に関し、具体例を図１乃至図３に基づいて説明する。なお、従来と同じ構成のものには同符号を記した。本具体例と従来例とを比較すると、両接片の構造が異なるのみであって、その他の部分は従来例と同様である。また、本具体例の正極接片と負極接片は共通の部品であるが、分かりやすくするために、符号を正極接片を２とし、負極接片を２’とした。
【００１５】
図１に示すように、時計用ムーブメント１０は、電池ボックス１５と、電池により駆動するモータ１６を取り付けた回路基板２０、モータの動力を図示しない指針軸に伝達する図示しない輪列により構成されている。電池ボックス１５の内部には、電池と回路基板２０を接続する導電性を有する接片２，２’が設けられている。この接片２，２’は、電池の正電極に接続される正極接片２と、電池の負電極に接続される負極接片２’で構成され、回路基板２０に設けられた図示しない正極端子、負極端子にそれぞれ正極接片２の一端部と負極接片２’の一端部を半田部１３，１３により固定している。
【００１６】
図２は、正極接片２の形状と後述する負極接片２’の加工前の形状を示す図であり、図３は、負極接片２’の加工後の形状を示す図である。
図２に示すように、接片２の形状は、略Ｍ字形状に形成されており、１本のフォーミング線を折り曲げることにより形成されている。
詳しくは、この接片２は、先端を、図２中上方向に９０度の角度で折り曲げて保持部２ｄを形成し、保持部２ｄを図２中右方向に９０度の角度で折り曲げて上端部２ｃを形成し、上端部２ｃを図２中下方向に９０度の角度で折り曲げて弾性部２ａａを形成し、弾性部２ａａを図２中右方向に９０度の角度で折り曲げて弾性先端部２ａｂを形成し、弾性先端部２ａｂを図２中上方向に９０度の角度で折り曲げて再び弾性部２ａａを形成し、この弾性部２ａａを図２中右方向に９０度の角度で折り曲げて再び上端部２ｃを形成し、この上端部２ｃを図２中下方向に９０度の角度で折り曲げて再び保持部２ｄが形成されている。
【００１７】
図２（Ａ）に示すように、正極接片２の形状と後述する負極接片２’の加工前の形状は、上記保持部２ｄ，２ｄ、上端部２ｃ，２ｃ、弾性部２ａａ、弾性先端部２ａｂを、同一平面になるように配置している。
【００１８】
正極接片２を製作する場合は、図２（Ａ）に示すように、回路基板２０に取り付けるための図中上方へ折り曲げられて取付部２ｂを形成することにより完成する。
【００１９】
負極接片２’を製作する場合は、図２の状態から、回路基板２０に取り付けるための取付部２ｂを、図２中下方向へ折り曲げられて取付部２ｂ’を形成して、図３（Ｃ）に示すように、舌片２’ａをｔだけ折り曲げ、Ｕ字形状の舌片２’ａを内方に向かって突出するようにして完成する。舌片２’ａを突出させることにより、電池との接触圧を確保することができる。
【００２０】
この正極接片の取付部２ｂと、負極接片の取付部２ｂ’を、回路基板２０の図示しない正極端子と負極端子にそれぞれ半田部１３，１３により固定している。
【００２１】
なお、回路基板２０に固定した正極接片２及び負極接片２’を電池ボックス内に収納するときは、従来と同様に、電池ボックス１５には、ムーブメントケースと一体的に設けられた支持板１５ｄ，１５ｂと、この支持板１５ｄ，１５ｂの内方にそれぞれ形成された支持突起がケースと一体的に形成され、この支持板１５ｄと支持突起との隙間により形成される接片保持部の上方から、正極接片２の保持部２ｄ，２ｄ及び負極接片２’の保持部２ｄ’２ｄ’を挿入して、それぞれの保持部が支持板１５ｄ，１５ｂと支持突起でそれぞれ支持され、ケースに固定することができる。
【００２２】
なお、従来と同様に、支持板１５ｄの内方に設けられた支持突起は、お互いに所定の間隔だけ離間して設けられており、電池の凸状の正極の幅より僅かに大きく設定されている。
また、支持板１５ｂの僅かに内方に設けられた支持突起は、所定の間隔だけ離間して設けられており、この離間部から、負極接片２’の舌片２’ａが電池ボックスの内方に突出している。
【００２３】
なお、舌片２ａの弾性先端部から舌片２’ａの弾性先端部迄の長さは、電池の長さより短く設定されているので、電池ボックス１５の内部に電池を挿入したときに、電池の負極が舌片２’ａに押圧されることにより、電池ボックスから電池が脱落することを防止しつつ、電池と接片との接触圧を一定に保持している。
【００２４】
以上説明したように、本具体例によれば、接片にＵ字形状で弾性を有する舌片２ａを設け、正極接片２を製作する場合は、舌片２ａを曲げないで保持部２ｄ，２ｄに対して上面視平板状になるようにしている。負極接片２’を製作する場合は、舌片２ａ’を曲げることにより電池との接触圧を保持することができる。
したがって、簡単な治具により、正極接片２の舌片２ａを折り曲げて負極接片２’を製作することができる。また、負極接片２’の舌片２’ａはＵ字形状であり、ビニール袋にいれられた負極接片どうしが絡み合うことも極力防止できるので、接片の変形を防止することができる。
【００２５】
【発明の効果】
以上説明したように、請求項１に記載した本発明は、２種類の接片を製造するに際し、製造治具を簡略化するとともに、接片の変形を防止し、正極接片と負極接片を共通部品化し、正極接片を加工して簡単に負極接片を製作することができる。
【図面の簡単な説明】
【図１】本具体例の時計用ムーブメントの内部を示す図。
【図２】本具体例の正極接片の形状及び負極接片の加工前の形状を示す図であり、（Ａ）は平面図、（Ｂ）は正面図。
【図３】本具体例の負極接片の加工後を示す図であり、（Ａ）は平面図、（Ｂ）は正面図、（Ｃ）側面図。
【図４】従来の時計用ムーブメントの内部を示す図。
【図５】従来の回路基板に接片を固定した状態を示した背面図。
【図６】従来の負極接片が電池ボックス内に取り付けられた状態を示す図。
【図７】従来の正極接片が電池ボックス内に取り付けられた状態を示す図。
【図８】従来の電池ボックスに電池をセットする状態を示す図。
【符号の説明】
２                  正極接片（負極切片の加工前の形状）
２’                負極切片
２ａ，２’ａ        舌片
２ｂ，２’ｂ        取付部
２ｄ，２’ｄ        保持部
１０                時計用ムーブメント
１３                半田部
１５                電池ボックス
１６                モータ
２０                回路基板
３０                電池
【図１】
0003655782.tif 000002
【図２】
0003655782.tif 000003
【図３】
0003655782.tif 000004
【図４】
0003655782.tif 000005
【図５】
0003655782.tif 000006
【図６】
0003655782.tif 000007
【図７】
0003655782.tif 000008
【図８】
0003655782.tif 000009